(57)【要約】      （修正有）【課題】長期間保存しても芳香液が揮発したり劣化したりすることがなく保存性に優れ、使用時には簡単な操作を行うだけで芳香液の揮発成分を直ちに発散させ芳香を周囲に放つことができ使用性に優れ、さらに花弁の中から芳香が放たれるので、造花という印象がなく華やかさも醸し出すことができ生花の代用品として用いることができる人工植物を提供することを目的とする。【解決手段】本発明は、茎頂３に配設若しくは形成された柔軟な中空容器装着部５と、少なくとも一箇所に容器開口部８が形成され中空容器装着部５に装着される可撓性を有する中空容器７と、内部に芳香液１１が封入され中空容器７に収納された破割性の薄肉密封容器１０と、中空容器装着部５の周囲に配設された花弁１３と、を備える。【選択図】図２
2006257562.tif 000002
【特許請求の範囲】
【請求項１】
茎頂に配設若しくは形成された柔軟な中空容器装着部と、少なくとも一箇所に容器開口部が形成され前記中空容器装着部に装着される可撓性を有する中空容器と、内部に芳香液が封入され前記中空容器に収納された破割性の薄肉密封容器と、前記中空容器装着部の周囲に配設された花弁と、を備えていることを特徴とする人工植物。
【請求項２】
前記中空容器の前記容器開口部が、内部に収納された前記薄肉密封容器より低い位置になるように前記中空容器装着部に装着されていることを特徴とする請求項１に記載の人工植物。
【請求項３】
前記中空容器が、前記容器開口部とは別の箇所に形成された通気部を備えていることを特徴とする請求項１又は２に記載の人工植物。
【請求項４】
前記容器開口部若しくは前記通気部の１箇所以上に装着された通気体、又は、前記薄肉密封容器を被覆する通気体を備えていることを特徴とする請求項１乃至３の内いずれか１に記載の人工植物。
【発明の詳細な説明】
【技術分野】
【０００１】
本発明は、芳香を放つ造花等の人工植物に関するものである。
【背景技術】
【０００２】
従来より、造花等の人工植物は、人の心に安らぎを与える装飾品として生花とともに広く用いられている。造花等の人工植物は、枯れたり萎れたりすることはないが、生花のような特有の芳香を放つことがなく嗅覚に訴えないため、これを改良して芳香を放つようにした造花等の人工植物もいくつか開発されている。
従来の技術としては、例えば（特許文献１）に「液状の芳香剤が入った容器に、上端に花状飾り部材が取り付けられた茎状毛細管部材が挿通された芳香付き造花」が開示されている。
（特許文献２）には、「合成樹脂成形品等によって形成した造花の少なくとも表面に、揮発性芳香剤をマイクロカプセルに封入した破壊芳香性超微粒子を練り込み或いはコーティング等により配置した芳香性造花」が開示されている。
【特許文献１】特開２００１−１４０１２０号公報
【特許文献２】実開平７−１２４３０号公報
【発明の開示】
【発明が解決しようとする課題】
【０００３】
しかしながら上記従来の技術においては、以下のような課題を有していた。
（１）（特許文献１）に開示の技術は、茎状毛細管部材が芳香剤を毛細管現象によって常時吸い上げるため、常に芳香剤の香りが周囲に漂い、デパート等の造花売り場等で複数の芳香付き造花が陳列されている場合には、芳香剤の香りが混ざり合って不快感を引き起こすという課題を有していた。
（２）液状の芳香剤が入った容器に、上端に花状飾り部材が取り付けられた茎状毛細管部材が挿通されているので、いかにも作り物の造花という印象が強く華やかさがないため、生花の代用品として用いることができないという課題を有していた。
（３）保存中に芳香剤が揮発してしまうことがあり、この場合は、使用時にほとんど香りが得られず保存性に欠けるという課題を有していた。
（４）（特許文献２）に開示の技術は、揮発性芳香剤をマイクロカプセルに封入した破壊芳香性超微粒子を練り込み或いはコーティング等により配置する必要があるため、製造が困難で生産性が低いという課題を有していた。
（５）造花が風によって揺れたり造花を手で触ったりしたとき等の軽い刺激により破壊芳香性超微粒子が破壊され芳香を放つので、輸送時や保存時等にも芳香剤の香りが周囲に漂い、芳香剤の香りが混ざり合って不快感を引き起こすという課題を有していた。また、輸送時や保存時等でも破壊芳香性超微粒子が破壊されてしまうので、使用時にほとんど香りが得られないという課題を有していた。
（６）練り込んだりコーティング等によって配置できる破壊芳香性超微粒子の量は少ないので、芳香の量が少ないため、バラやユリ等のように強い芳香を放つ人工植物を製造することが困難であるとともに、風や手で触る等の刺激がない場所では芳香が生じず、生花のような自然な芳香を得ることができないという課題を有していた。
【０００４】
本発明は上記従来の課題を解決するもので、長期間保存しても芳香液が揮発したり劣化したりすることがなく保存性に優れ、使用時には簡単な操作を行うだけで芳香液の揮発成分を直ちに発散させ芳香を周囲に放つことができ使用性に優れ、さらに花弁の中から芳香が放たれるので、造花という印象がなく華やかさも醸し出すことができ生花の代用品として用いることができる人工植物を提供することを目的とする。
【課題を解決するための手段】
【０００５】
上記従来の課題を解決するために本発明の人工植物は、以下の構成を有している。
本発明の請求項１に記載の人工植物は、茎頂に配設若しくは形成された柔軟な中空容器装着部と、少なくとも一箇所に容器開口部が形成され前記中空容器装着部に装着される可撓性を有する中空容器と、内部に芳香液が封入され前記中空容器に収納された破割性の薄肉密封容器と、前記中空容器装着部の周囲に配設された花弁と、を備えた構成を有している。
この構成により、以下のような作用が得られる。
（１）使用時に、柔軟な中空容器装着部を曲げたり折ったり潰したり等の簡単な操作を行うことで、中空容器装着部に装着された中空容器を変形させ、内部に収納された薄肉密封容器を割って内部の芳香液を中空容器内に漏れ出させることができる。中空容器には容器開口部が形成されているので、芳香液の揮発成分が容器開口部から花弁の間を通って周囲に発散され、花弁の奥から芳香を周囲に放つことができる。
（２）芳香液は薄肉密封容器に封入されており、薄肉密封容器を破割しない限り揮発しないので、長期間保存しても芳香液が揮発したり劣化したりすることなく保存性に優れる。
【０００６】
ここで、茎や花弁としては、天然繊維や合成繊維等で形成された布製や紙製，合成樹脂製，ゴム製等で形成され、バラ，カーネーション，ユリ，チューリップ，ハーブ類等の花草等の茎，花冠，蕾等に模したものが用いられる。また、生の草花の水分を乾燥させたり薬剤等を用いて水分を抜いて製造されたドライフラワーで形成することもできる。
【０００７】
茎頂に配設若しくは形成された中空容器装着部としては、茎がポリプロピレン，ポリエチレン，ポリイミド，塩化ビニル等の合成樹脂製、ゴム製、紙製等の柔軟な素材で形成されている場合は、中空容器を挿着可能なように茎頂に形成された孔部、中空容器を係着可能なように形成された係止部等を用いることができる。
また、中空容器装着部をポリプロピレン，ポリエチレン，ポリイミド，塩化ビニル等の合成樹脂製、ゴム製、脱脂綿等の天然繊維や合成樹脂製繊維等の集合体、天然繊維や合成樹脂製繊維等で形成された織布，編布，不織布，フェルト、濾紙等の紙、発泡ウレタン樹脂，発泡ポリエチレン樹脂，コルク等の多孔質体等の柔軟な素材で形成し、中空容器装着部を茎頂に接着等して固着させることもできる。
これにより、中空容器装着部に中空容器を装着した後、中空容器とともに中空容器装着部を撓ませたり変形させたりすることにより、中空容器に収納された薄肉密封容器を割って内部の芳香液を中空容器内に漏れ出させることができる。
【０００８】
中空容器としては、有底で中空の管状、板状等の形状に可撓性を有する材質で形成されているものであれば特に限定されるものではなく、例えば、ポリプロピレン，ポリエチレン，ポリイミド，塩化ビニル等の合成樹脂製やゴム製等の材質で形成されたものが用いられる。
【０００９】
中空容器に収納された薄肉密封容器としては、手指等の力で中空容器を撓ませたりすることで容易に破割できる程度の強度を有するガラス製や合成樹脂製等で形成された密封容器が用いられる。合成樹脂製の薄肉密封容器は、フィルム等で袋状に形成し注入口から芳香液を入れた後、容器内の気泡を追い出しながらヒートシール等で注入口を封着し、内部に芳香液をほぼ隙間無く封入するものが好適に用いられる。使用時に中空容器を撓ませたりして薄肉密封容器を圧迫すれば、芳香液の圧力で薄肉密封容器を破割できるからである。破割性を高めるため、容器の１箇所以上に周辺よりも薄肉にした薄肉部を形成してもよい。
【００１０】
薄肉密封容器に密封された芳香液としては、天然香料や合成香料の１種又は複数種を用いることができる。揮発性の調整や溶剤として、エタノール，イソプロピルアルコール等の一価アルコール、メチルメトキシブタノール，ジプロピレングリコール，ヘキシルグリコール，１，３−ブタンジオール等の多価アルコール等を配合して用いることができる。また、フタル酸エステル類等のエステル類、環状シリコン等のシリコーンオイル等も適宜選択して配合して用いることができる。必要に応じて、蒸留水や持続性等を調整する保留剤を加えることもできる。
【００１１】
中空容器に形成された容器開口部としては、中空容器の端部や端部の近傍等の１乃至複数箇所に形成された孔部，スリット状の切れ目部等が用いられる。孔部の開口径や切れ目部の長さ、開口部や切れ目部の数は、芳香液の揮発性、中空容器の形状、中空容器装着部の形状等によって適宜選択することができる。
容器開口部は、中空容器装着部に中空容器を装着した際、中空容器装着部が容器開口部に密着することなく容器開口部が閉塞されないような位置に形成するのが好ましい。容器開口部からの芳香液の揮発や流出を妨げないようにするためである。
【００１２】
本発明の請求項２に記載の発明は、請求項１に記載の人工植物であって、前記中空容器の前記容器開口部が、内部に収納された前記薄肉密封容器より低い位置になるように前記中空容器装着部に装着された構成を有している。
この構成により、以下のような作用が得られる。
（１）中空容器装着部に装着された中空容器を曲げたり折ったり潰したり等の簡単な操作を使用時に行うことで、薄肉密封容器を割って内部の芳香液を中空容器内に漏れ出させることができる。容器開口部が内部に収納された薄肉密封容器より低い位置にあるので、芳香液が容器開口部から中空容器装着部に流出し、流出した芳香液の揮発成分は空気中に発散され、強い芳香を周囲に放つことができる。
【００１３】
ここで、中空容器装着部は、請求項１で説明したものを用いることができるが、なかでも脱脂綿等の天然繊維や合成樹脂製繊維等の集合体、天然繊維や合成樹脂製繊維等で形成された織布，編布，不織布，フェルト、濾紙等の紙、連続気泡を有する発泡ウレタン樹脂，発泡ポリエチレン樹脂，コルク等の多孔質体等の柔軟で、かつ、芳香液を吸収する素材で形成するのが好ましい。中空容器の外に流出させた芳香液を中空容器装着部に吸収させることができ、空気との接触面積を広げ強い芳香を周囲に放つことができるからである。
【００１４】
容器開口部が複数形成されている場合は、中空容器装着部に装着された中空容器に形成された容器開口部の内、最も低い位置にある容器開口部と薄肉密封容器との位置関係を考えればよい。最も低い位置にある容器開口部から中空容器の外に芳香液が流出するからである。
【００１５】
本発明の請求項３に記載の発明は、請求項１又は２に記載の人工植物であって、前記中空容器が、前記容器開口部とは別の箇所に形成された通気部を備えた構成を有している。
この構成により、請求項１又は２で得られる作用に加え、以下のような作用が得られる。
（１）中空容器に容器開口部の他に通気部が形成されているので、中空容器内の通気性が良いため、薄肉密封容器から漏れ出た芳香液の揮発成分が直ちに容器開口部や通気部から発散され強い芳香を周囲に放つことができる。
（２）また、容器開口部が薄肉密封容器より低い位置になるように中空容器を装着することで、中空容器内の芳香液を中空容器の外に短時間で流出させることができる。芳香液が容器開口部から流出する際に中空容器内が負圧にならないためである。中空容器の外に流出した芳香液の揮発成分は空気中に直ちに発散されるので、強い芳香を周囲に放つことができる。
【００１６】
ここで、通気部としては、管状や板状等に形成された中空容器の一端側に形成された容器開口部と離間して、中空容器の他端側に形成されているのが好ましい。中空容器内の通気性を高めるためである。
【００１７】
本発明の請求項４に記載の発明は、請求項１乃至３の内いずれか１に記載の人工植物であって、前記容器開口部若しくは前記通気部の１箇所以上に装着された通気体、又は、前記薄肉密封容器を被覆する通気体を備えた構成を有している。
この構成により、請求項１乃至３の内いずれか１で得られる作用に加え、以下のような作用が得られる。
（１）通気体が容器開口部や通気部に装着されている、又は、薄肉密封容器を被覆しているので、割れた薄肉密封容器の破片が、容器開口部や通気部から中空容器の外に出るのを防止できる。
【００１８】
ここで、通気体としては、薄肉密封容器の破片の大きさより小さな開口や連続気孔が形成されており通気性を有するものであれば、特に制限無く用いることができる。具体的には、脱脂綿等の天然繊維や合成樹脂製繊維等の集合体、天然繊維や合成樹脂製繊維等で形成された織布，編布，不織布，網状体、紙、連続気泡を有する発泡ウレタン樹脂等の多孔質体等が用いられる。また、合成樹脂製等のフィルムや紙等を細く切った薄片を巻いて筒状等に形成されたものも用いることができる。
通気体は、容器開口部や通気部の中や内側に隙間なく装填若しくは嵌着される。周囲を中空容器に接着することもできる。また、薄肉密封容器を隙間なく被覆することもできる。これにより、割れた薄肉密封容器の破片が中空容器の外に出るのを防止するとともに、芳香液を容器開口部や通気部から揮発させたり流出させたりすることができる。
【発明の効果】
【００１９】
以上のように、本発明の人工植物によれば、以下のような有利な効果が得られる。
請求項１に記載の発明によれば、
（１）使用時に、中空容器装着部に装着された中空容器を変形させ、内部に収納された薄肉密封容器を割って内部の芳香液を中空容器内に漏れ出させれば、芳香液の揮発成分が容器開口部から花弁の間を通って周囲に発散され、花弁の奥から芳香を周囲に放つことができ、造花という印象がなく華やかさも醸し出すことができ生花の代用品として用いることができる人工植物を提供することができる。
（２）芳香液は薄肉密封容器に封入されており、薄肉密封容器を破割しない限り揮発しないので、長期間保存しても芳香液が揮発したり劣化したりすることなく保存性に優れた人工植物を提供することができる。
【００２０】
請求項２に記載の発明によれば、請求項１の効果に加え、
（１）使用時に、薄肉密封容器を割って内部の芳香液を中空容器内に漏れ出させると、芳香液が容器開口部から中空容器装着部に流出し、流出した芳香液の揮発成分は空気中に発散され強い芳香を短時間で周囲に放つことができる人工植物を提供することができる。
【００２１】
請求項３に記載の発明によれば、請求項１又は２の効果に加え、
（１）中空容器内の通気性が良いため、薄肉密封容器から漏れ出た芳香液の揮発成分が直ちに容器開口部や通気部から発散され強い芳香を周囲に放つことができる人工植物を提供することができる。
（２）容器開口部が薄肉密封容器より低い位置になるように中空容器を装着することで、中空容器内の芳香液を中空容器の外に短時間で流出させることができ、中空容器の外に流出した芳香液の揮発成分を空気中に直ちに発散させ強い芳香を周囲に放つことができ、イベント会場やパーティー会場等の会場内を瞬時に芳香で満たすことのできる人工植物を提供することができる。
【００２２】
請求項４に記載の発明によれば、請求項１乃至３の内いずれか１の効果に加え、
（１）割れた薄肉密封容器の破片が通気体で遮られ、容器開口部や通気部から中空容器の外に出てしまうのを防止できる人工植物を提供することができる。
【発明を実施するための最良の形態】
【００２３】
以下、本発明を実施するための最良の形態を、図面を参照しながら説明する。
（実施の形態１）
図１は実施の形態１における人工植物の製造方法を示す要部斜視図であり、図２は図１（ｄ）に示す人工植物の要部断面図であり、図３は人工植物の中空容器装着部に装着される中空容器の変形例の縦断面図である。
図１、図２において、１は実施の形態１におけるバラの草花を模した人工植物、２は柔軟な可撓性を有する合成樹脂製等で棒状に形成された人工植物１の茎、３は茎２の先端の茎頂、４は茎２に一端側が埋設され他端側が茎頂３から突出した針金等の芯線、５は脱脂綿等の天然繊維や合成樹脂製繊維等の集合体、天然繊維や合成樹脂製繊維等で形成された織布，編布，不織布，フェルト、濾紙等の紙、連続気泡を有する発泡ウレタン樹脂，発泡ポリエチレン樹脂，コルク等の多孔質体等の柔軟でかつ吸収性を有する任意の厚さの素材で形成され芯線４を内設して茎頂３に配設された中空容器装着部、６は中空容器装着部５の一端側で開口し有底状に形成され後述する中空容器７が内設される容器内設部、７はポリプロピレン，ポリエチレン，ポリイミド，塩化ビニル等の合成樹脂製やゴム製等の可撓性を有する材質で中空の円筒状に形成された中空容器、８は中空容器７の一端に孔状に形成された容器開口部、９は中空容器７の他端に孔状に形成された通気部、１０は薄肉のガラス製等で形成され中空容器７に収納された薄肉密封容器、１１は薄肉密封容器１０に密封されたバラ等の香料を含有する芳香液、１２は合成樹脂製等で形成され茎頂３と中空容器装着部５との間に基部が接着された萼片、１３は合成樹脂製や布製等で形成され萼片１２の基部や中空容器装着部５の茎頂３側に基部が接着され中空容器装着部５の周囲に複数枚配設された花弁である。
ここで、本実施の形態においては、中空容器７は、容器開口部８が内部の薄肉密封容器１０より低い位置になるように、中空容器装着部５の容器内設部６に容器開口部８を下向きにして装着されている。
【００２４】
以上のように構成された実施の形態１における人工植物について、以下その製造方法を説明する。
始めに、中空容器７について、以下その製造方法の一例を説明する。
芳香液をガラス製等の薄肉容器に端部の注入口から注入した後、端部の注入口を溶融等して封入し芳香液１１が密封された薄肉密封容器１０を製造する。次いで、一端に通気部９が形成された筒状の中空容器７内に容器開口部８から薄肉密封容器１０を落とし込んだ後、中空容器７の容器開口部８側の全体を加熱して軟化させるとともに押圧して、容器開口部８の内径を薄肉密封容器１０の外径より狭くして、中空容器７に薄肉密封容器１０を収納する。
【００２５】
次に、任意の厚さを有する柔軟な中空容器装着部５を丸めて筒状にして一端側が開口した容器内設部６を形成し、容器内設部６に芯線４を内設するようにして中空容器装着部５を茎頂３に配設する（図１（ａ）、図１（ｂ）参照）。中空容器装着部５の周囲を紐や針金等の線条体で緊縛したり粘着剤や接着剤等を用いたりして中空容器装着部５を整形することもできる。
次いで、中空容器装着部５の容器内設部６に、中空容器７の容器開口部８が下向きになるようにして中空容器７を装着する（図１（ｃ）、図２参照）。
次に、萼片１２、花弁１３の基部を茎頂３や中空容器装着部５の茎頂３側に接着し、花弁１３を中空容器装着部５の周囲に複数枚配設する（図１（ｄ）、図２参照）。
【００２６】
以上のように、本発明の実施の形態１における人工植物は構成されているので、以下のような作用が得られる。
（１）中空容器装着部５が柔軟な素材で形成されているので、生花のような触感を得ることができ、使用時に、柔軟な中空容器装着部５を曲げたり折ったり潰したり等の簡単な操作を行うことで、中空容器装着部５の容器内設部６に装着された中空容器７を変形させ、内部に収納された薄肉密封容器１０を割って芳香液１１を中空容器７内に漏れ出させることができる。中空容器７には容器開口部８及び通気部９が形成されているので、芳香液１１の揮発成分が容器開口部１０及び通気部９から花弁１３の間を通って周囲に発散され、あたかも生花のように花弁１３の奥から芳香を周囲に放つことができる。
（２）芳香液１１は薄肉密封容器１０に封入されており、薄肉密封容器１０を破割しない限り揮発しないので、長期間保存しても芳香液１１が揮発したり劣化したりすることなく保存性に優れる。
（３）中空容器７に通気部９が形成されているので、中空容器７内の通気性が良いため、薄肉密封容器１０から漏れ出た芳香液１１の揮発成分が直ちに容器開口部８や通気部９から発散され強い芳香を周囲に放つことができる。
（４）中空容器７に通気部９が形成されており、さらに容器開口部８が薄肉密封容器１０より低い位置になるように容器開口部８を下向きにして中空容器７が中空容器装着部５に装着されているので、中空容器７内の芳香液１１を容器開口部８から中空容器７の外に短時間で流出させることができる。芳香液１１が容器開口部８から流出する際に中空容器７内が負圧にならないためである。中空容器７の外に流出した芳香液の揮発成分は空気中に直ちに発散されるので、強い芳香を周囲に放つことができる。
（５）中空容器装着部５は、柔軟で、かつ、芳香液を吸収する素材で形成されており、容器内設部６が有底状に形成されているので、中空容器装着部５を変形させて中空容器７内の薄肉密封容器１０を破割させることができ、さらに中空容器７の外に流出させた芳香液１１を中空容器装着部５に吸収させることができ、芳香液１１と空気との接触面積を広げ強い芳香を周囲に放つことができる。
（６）針金等の芯線４が中空容器装着部５に内設されているので、人工植物１の製造工程において、柔軟な中空容器装着部５にある程度の強度が付与されるため、中空容器７を容器内設部６に装着したり、中空容器装着部５を芯にして花弁１３を配設したりする際の作業性に優れる。
【００２７】
ここで、本実施の形態においては、中空容器装着部５が柔軟でかつ吸収性を有する任意の厚さの素材で形成された場合について説明したが、これに限定する必要はなく、ポリプロピレン，ポリエチレン，ポリイミド，塩化ビニル等の合成樹脂製、ゴム製、独立気泡が形成された発泡ウレタン樹脂，発泡ポリエチレン樹脂等の柔軟な素材で形成される場合もある。この場合も、使用時に、柔軟な中空容器装着部を変形させて中空容器内の薄肉密封容器１０を破割させることができる。なお、中空容器の外に流出した芳香液は、この場合の中空容器装着部には吸収され難いが、芳香剤の揮発成分の空気への拡散量を少なくして芳香を長期間維持できるという作用が得られる。
【００２８】
本発明の人工植物は、実施の形態１で説明した中空容器７以外に、種々の中空容器を用いることができる。
図３、図４は変形例の中空容器の縦断面図である。なお、実施の形態１で説明したものと同様のものは、同じ符号を付して説明を省略する。
図３（ａ）において、７ａは筒状に形成された中空容器、８ａは中空容器７ａの一端に形成された容器開口部、９ａは中空容器７ａの他端の球面状の端面に形成された小孔状の通気部である。中空容器７ａは端面の一つが球面状に形成されているが、通気部９ａと容器開口部８ａが形成されているので、実施の形態１で説明したのと同様の作用が得られる。
【００２９】
図３（ｂ）において、７ｂは筒状に形成された中空容器、８ｂは中空容器７ｂの一端に形成された容器開口部、９ｂは中空容器７ｂの他端に形成された孔状の通気部、２０は脱脂綿等の天然繊維や合成樹脂製繊維等の集合体、天然繊維や合成樹脂製繊維等で形成された織布，編布，不織布，網状体、紙、連続気泡を有する発泡ウレタン樹脂等の多孔質体等で形成され容器開口部８ｂに装着された通気体、２１は脱脂綿や不織布等で形成され通気部９ｂに装着された通気体である。
中空容器７ｂは、筒状の中空容器内に通気部９ｂ側から通気体２１を装入した後、通気部９ｂ側の全体を加熱して軟化させるとともに押圧して内側に折り返しを形成し、容器開口部８ｂから薄肉密封容器１０を落とし込んだ後、通気体２０を装入し、次いで中空容器７ｂの容器開口部８ｂ側の全体を加熱して軟化させるとともに押圧して内側に折り返しを形成して製造することができる。
中空容器７ｂは通気体２０，２１が容器開口部８ｂ、通気部９ｂに装着されているので、実施の形態１に記載した作用に加え、割れた薄肉密封容器１０の破片が通気体２０，２１で遮られ、容器開口部８ｂや通気部９ｂから中空容器７ｂの外に出てしまうのを防止できるという作用が得られる。
【００３０】
図３（ｃ）において、７ｃは筒状に形成された中空容器、８ｃは中空容器７ｃの一端に形成された容器開口部、９ｃは中空容器７ｃの他端の球面状の端面に形成された小孔状の通気部、２２は不織布等で形成され薄肉密封容器１０を被覆する通気体である。中空容器７ｃは薄肉密封容器１０を被覆する通気体２２を備えているので、実施の形態１に記載した作用に加え、割れた薄肉密封容器１０の破片が通気体２２で遮られ、容器開口部８ｃや通気部９ｃから中空容器７ｃの外に出てしまうのを防止できるという作用が得られる。
【００３１】
図３（ｄ）において、７ｄは筒状に形成された中空容器、８ｄは中空容器７ｄの一端に形成された容器開口部、２３は容器開口部８ｄに装着された通気体である。中空容器７ｄは通気体２３が容器開口部８ｄに装着されているので、割れた薄肉密封容器１０の破片が通気体２３で遮られ、容器開口部８ｄから中空容器７ｄの外に出てしまうのを防止できるという作用が得られる。
なお、通気体２０，２１，２２，２３を設けなくても、通気部９，９ａ、容器開口部８，８ａの大きさや形状、長さ等を適宜選択することによって、薄肉密封容器１０の破片が中空容器７の外に出難くすることができる。
【００３２】
図４において、７ｅは筒状に形成された中空容器、８ｅは中空容器７ｅの側面に複数形成された容器開口部である。中空容器７ｅは、側面に複数の容器開口部８ｅが形成され一端が開口した筒状の中空容器内に薄肉密封容器１０を落とし込んだ後、中空容器の一端の開口を溶融する等の手段によって閉塞して製造することができる。
中空容器７ｅは複数の容器開口部８ｅが形成されているので、実施の形態１に記載したのと同様の作用が得られる。なお、側面に複数形成された容器開口部８ｅに加え、中空容器７ｅの端部に容器開口部を形成する場合もある。これにより、薄肉密封容器１０を破割して溢れ出た芳香液を中空容器の外に流出させ易くして、薄肉密封容器を破割してから強い芳香が放たれるまでの時間を短縮することができる。
【００３３】
また、本実施の形態では、通気部９，９ａ，９ｂ，９ｃが中空容器７，７ａ，７ｂ，７ｃの端面に形成された場合について説明したが、容器開口部８，８ａ，８ｂ，８ｃと離間して中空容器７，７ａ，７ｂ，７ｃの側面や他端側に形成されていればよく、端面に形成されたものに限定するものではない。
また、本実施の形態においては、中空容器装着部５が茎頂３に配設された場合について説明したが、茎頂３に孔部や係止部等の中空容器装着部を形成し、この中空容器装着部に中空容器を装着し、中空容器が装着された中空容器装着部の周囲に花弁を配設する場合もある。この場合は、ユリやチューリップ等のような花弁が開いた人工植物を製造する場合に適している。
【産業上の利用可能性】
【００３４】
本発明は、芳香を放つ造花等の人工植物に関し、長期間保存しても芳香液が揮発したり劣化したりすることがなく保存性に優れ、使用時には簡単な操作を行うだけで芳香液の揮発成分を直ちに発散させ芳香を周囲に放つことができ使用性に優れ、さらに花弁の中から芳香が放たれるので、造花という印象がなく華やかさも醸し出すことができ生花の代用品として用いることができる人工植物を提供できる。
【図面の簡単な説明】
【００３５】
【図１】実施の形態１における人工植物の製造方法を示す要部斜視図
【図２】図１（ｄ）に示す人工植物の要部断面図
【図３】人工植物の中空容器装着部に装着される中空容器の変形例の縦断面図
【図４】人工植物の中空容器装着部に装着される中空容器の他の変形例の縦断面図
【符号の説明】
【００３６】
１  人工植物
２  茎
３  茎頂
４  芯線
５  中空容器装着部
６  容器内設部
７，７ａ，７ｂ，７ｃ，７ｄ，７ｅ  中空容器
８，８ａ，８ｂ，８ｃ，８ｄ，８ｅ  容器開口部
９，９ａ，９ｂ，９ｃ  通気部
１０  薄肉密封容器
１１  芳香液
１２  萼片
１３  花弁
２０，２１，２２，２３  通気体
【図１】
2006257562.tif 000003
【図２】
2006257562.tif 000004
【図３】
2006257562.tif 000005
【図４】
2006257562.tif 000006